【事件の表示】
　特許第２８０５７３６号「カメラ及びフィルム追従装置」の請求項１ないし２に係る特許に対する特許異議の申立てについて、次のとおり決定する。
【結論】
　訂正を認める。
　特許第２８０５７３６号の請求項１ないし２に係る特許を維持する。
【理由】
（１）手続きの経緯
　本件特許第２８０５７３６号発明は、平成２年４月２７日に特許出願され、平成１０年７月２４日にその発明の特許がなされ、その後、オリンパス光学工業　株式会社より特許異議の申立てがなされ、取消理由通知がなされ、その指定期間内である平成１１年８月３０日に訂正請求がなされたものである。
（２）訂正の適否についての判断
▲１▼特許請求の範囲の訂正
ア．訂正明細書の請求項１に係る発明
　訂正明細書の請求項１に係る発明は、その特許請求の範囲の請求項１に特定された次のとおりのものである。
　「（１）フィルムの磁気記憶部との間で磁気情報の伝達を行うための磁気ヘッドと、露光位置でフィルムの光軸方向の位置を規制するフィルム位置規制手段と、フィルムの動きに追従できるように前記フィルム位置規制手段とは独立に前記磁気へツドを回動自在に保持する保持手段とを有することを特徴とするカメラ。」
イ．訂正明細書の請求項２に係る発明
　訂正明細書の請求項２に係る発明は、その特許請求の範囲の請求項２に特定された次のとおりのものである。
　「（２）フィルムの磁気記憶部との間で磁気情報の伝達を行うための磁気ヘッドと、露光位置でフィルムの光軸方向の位置を規制するフィルム位置規制手段と、フィルムの動きに追従できるように前記フィルム位置規制手段とは独立に前記磁気ヘッドを回動自在に保持する保持手段とを有することを特徴とする磁気記憶部付きフィルムに適用されるフィルム追従装置。」
▲２▼発明の詳細な説明の訂正
ア．明細書中第４頁（発明の特徴）の項（特許掲載公報第３欄第３２行）の「揺動」を「回動」と訂正する。
▲３▼訂正の目的の適否及び拡張・変更の存否等
　上記訂正▲１▼は、明瞭でない記載の釈明に該当し、願書に添付した明細書又は図面に記載された事項の範囲内のものであり、実質的に特許請求の範囲を拡張又は変更するものではなく、新規事項の追加もない。また、上記訂正▲２▼は、特許請求の範囲の訂正に付随する訂正であるから、発明の詳細な説明の欄中の明瞭でない記載の釈明を目的とするものであり、願書に添付した明細書又は図面に記載された事項の範囲内のものであり、新規事項の追加もない。
▲４▼むすび
　以上のとおりであるから、上記訂正請求は、特許法等の一部を改正する法律（平成６年法律第１１６号）附則第６条第１項の規定によりなお従前の例によるとされる、特許法第１２０条の４第２項及び第３項で準用する第１２６条第２−４項の規定に適合するので、当該訂正を認める。
（３）特許異議の申立てについての判断
ア．申立ての理由の概要
　申立人オリンパス光学工業株式会社は、証拠として甲第１号証（特表平３−５０４４２１号公報）及び甲第２号証（甲第１号証に係る国際出願〔国際出願番号：ＰＣＴ／ＵＳ８９／０４３４５〕の国際公開のパンフレット（国際公開番号：ＷＯ９０／０６５３６））を提出し、訂正前の請求項１および２に係る発明は、特許法第２９条の２の規定に違反してなされたものであるから、特許を取り消すべき旨主張している。
イ．判断
（引用刊行物に記載された発明）
訂正前明細書の請求項１、２に係る発明に対して、当審が通知した取消理由で引用した（甲第１号証に係る国際出願〔国際出願番号：ＰＣＴ／ＵＳ８９／０４３４５〕の国際公開のパンフレット（国際公開番号：ＷＯ９０／０６５３６））（以下「第１引用例」という。）には、フィルムの磁気記憶部との間で磁気情報の伝達を行うための磁気ヘッド６０と、露光位置でフィルムの光軸方向の位置を規制するプラテン３０と、フィルムの動きに追従できるように前記プラテン３０とは独立に前記磁気ヘッド６０を上下動自在に保持するキャリッジ６８とを有することを特徴とするカメラ、ないし磁気記憶部付きフィルムに適用されるフィルム追従装置が記載されている。
（請求項１及び２に係る発明についての対比・判断）
　本件請求項１及び２に係る発明と第１引用例に記載の発明とを対比すると、本件請求項１及び２に係る発明では「回動自在」であるのに対して、第１引用例に記載の発明では「上下動自在」である点で相違し、その余は、一致している。
　そして、この相違点は、自明な事項または技術常識であるとも認められないから、両者が同一であるとすることはできない。
ウ．むすび
　以上のとおりであるから、特許異議申立の理由及び証拠によっては、本件請求項１及び２に係る発明の特許を取り消すことはできない。
　また、他に本件請求項１及び２に係る発明の特許を取り消すべき理由を発見しない。
　よって、結論のとおり決定する。
【異議決定日】
平成１１年１２月８日（１９９９．１２．８）
【訂正の要旨】
　訂正の要旨
明瞭でない記載の釈明を目的として、下記（１）、（２）のように特許請求の範囲を訂正する。また、特許請求の範囲の訂正に応じて、発明の詳細な説明についても、適合性を持たせるために下記（３）のように訂正する。
（１）特許請求の範囲の請求項１を次のとおり訂正する。
　「（１）フィルムの磁気記憶部との間で磁気情報の伝達を行うための磁気ヘッドと、露光位置でフィルムの光軸方向の位置を規制するフィルム位置規制手段と、フィルムの動きに追従できるように前記フィルム位置規制手段とは独立に前記磁気ヘッドを回動自在に保持する保持手段とを有することを特徴とするカメラ。」
（２）特許請求の範囲の請求項２を次のとおり訂正する。
　「（２）フィルムの磁気記憶部との間で磁気情報の伝達を行うための磁気ヘッドと、露光位置でフィルムの光軸方向の位置を規制するフィルム位置規制手段と、フィルムの動きに追従できるように前記フィルム位置規制手段とは独立に前記磁気ヘッドを回動自在に保持する保持手段とを有することを特徴とする磁気記憶部付きフィルムに適用されるフィルム追従装置。」
（３）明細書中第４頁（発明の特徴）の項（特許掲載公報第３欄第３２行）の「揺動」を「回動」と訂正する。
（５４）【発明の名称】
カメラ及びフィルム追従装置
（５７）【特許請求の範囲】
（１）フィルムの磁気記憶部との間で磁気情報の伝達を行うための磁気ヘッドと、露光位置でフィルムの光軸方向の位置を規制するフィルム位置規制手段と、フィルムの動きに追従できるように前記フィルム位置規制手段とは独立に前記磁気ヘッドを
回動
（２）フィルムの磁気記憶部との間で磁気情報の伝達を行うための磁気ヘッドと、露光位置でフィルムの光軸方向の位置を規制するフィルム位置規制手段と、フィルムの動きに追従できるように前記フィルム位置規制手段とは独立に前記磁気ヘッドを
回動
【発明の詳細な説明】
（発明の利用分野）
　本発明は、フィルムの磁気記憶部との間で磁気情報の伝達を行うための磁気ヘッドを備えたカメラ及びフィルム追従装置に関するものである。
（発明の背景）
　近年、磁気記憶部を有するフィルムを使用し、この磁気記憶部にシャッタ秒時、絞り値、タイトル等の撮影情報を磁気ヘッドを用いて書き込み、且つ必要に応じてこの情報を読み出すように構成されたカメラが米国特許第４８６４３３２号等にて提案されている。
　上記構成にカメラにおいては、例えば磁気記憶部はフィルムの長手方向に平行に所定の位置に配設されており、従って書き込み及び読み出しされる情報量の増加と相まって、磁気ヘッドはフィルムの前記所定位置（磁気記憶部）に常に精度良く位置決めさせておく必要がある。しかしながら、フィルムは給送中に画面の上下方向にうねりながら走行することから、以下のような問題点を有していた。
　１）フィルムに備わった磁気記憶部と磁気ヘッドとの間に位置ずれが生じるため、撮影情報の正確な書き込みや読み出しが出来ない。
　２）磁気ヘッドはフィルムの磁気記憶部に対して出来るだけ垂直に当接させる必要があるが、前述のフィルムのうねりのためにフィルムの走行方向に対して磁気ヘッドの垂直度が低下してしまう。
　３）フィルムのうねりに伴って上下動、回動自在と成す圧板に磁気ヘッドを取り付け、上記２）の点を改善しようとするものが本願出願人（未公開）提案されているが、磁気ヘッドが圧板に固定されるため、圧板が重くなったり、また摺動抵抗等でレスポンスが悪く、うまくフィルムのうねりに即応出来なかった。又、形状が複雑な為、プラスチックで成形しても変形したりし、これを防止するために金属化することはコストの面で不利であった。
（発明の目的）
　本発明は、上述したような事情に鑑みて為されたもので、フィルムのうねりが発生したとしても、常に正確な磁気情報の書き込み或は読み出しを行うことができるカメラ及びフィルム追従装置を提供しようとするものである。
（発明の特徴）
　上記目的を達成するために、本発明は、フィルムの磁気記憶部との間で磁気情報の伝達を行うための磁気ヘッドと、露光位置でフィルムの光軸方向の位置を規制するフィルム位置規制手段と、フィルムの動きに追従できるように前記フィルム位置規制手段とは独立に前記磁気ヘッドを
回動
（発明の実施例）
　第１図乃至第８図は本発明の第１の実施例を示すもので、これらの図において、１はカメラ本体、２はファインダ、３はフォーク、４はパトローネ室、５はスプール室、６は圧板、７は圧板バネ、８はガイド部材、９はガイドピン、１０，１１はガイド用バネ、１２は磁気ヘッド、１３はビスである。１４はフィルムであり、長手方向に平行に磁気記憶部が設けられている。１５は裏蓋、１６はアパーチャである。
　前記圧板６は第２図に示すように、フィルム幅方向上部の端部をガイドするガイド６ａ，６ｂ、前記ガイド用バネ１０，１１の一端が掛けられる２個のバネ掛け部６ｃ、切り欠き部６ｄ，６ｅ、及び圧板バネ７がカシメられるピン６ｆ，６ｇを有している。
　前記圧板バネ７は第４図に示すように屈曲した形状をしており、前述したように圧板６のピン６ｆ，６ｇにカシメられ、その溝部７ａ，７ｂが裏蓋１５に設けられたピン１５ａ，１５ｂに挿入されて、バネ圧により圧板６を外レール１ａ（第５図参照）面に押し付けるように構成されている。前記ガイドピン９は前記圧板６に一体的に形成されており、このガイドピン９にガイド部材８の長穴８ｆが入り、ビス１３で止められることになるが、円形のガイドピン９と長穴８ｆの構成により、前記ガイド部材８は圧板６に対して、上下方向の移動並びに回動が可能となっている。
　前記ガイド部材８は、第３図に示すようにフィルム幅方向の下部が乗ることになるガイド部８ａ，８ｂ、第２図に示すように磁気ヘッド１２が取り付けられる取付部８ｃ、及び前記ガイド用バネ１０，１１の他端が掛けられるバネ掛け部８ｄ，８ｅを有しており、前記ガイド用バネ１０，１１により常に第１図上方向に付勢されている。
　なお、第５図に示すように圧板６と外レール１ａにより、一定の間隔ｌ１が形成されており、この隙間部をフィルム１４は給送されることになる。
　上記構成において、フィルム１４がうねりを生じない時には第６図に示すようにガイド部材８と圧板６とは平行な状態となっている。
　フィルム１４が第７図のように右上りにうねりを生じた場合には、ガイド部材８は、そのガイド部８ａ，８ｂが常にフィルム１４の幅方向下部に接するようにガイド用バネ１０，１１で引っ張られているため、図のようにフィルム１４の傾きに追従して同様の角度（θ）傾く。この際磁気ヘッド１２も該ガイド部材８に固定されているために同様に傾き、よって、該磁気ヘッド１２とフィルム１４（の磁気記憶部）の垂直度を保つことができる。
　第８図はフィルム１４が左上りにうねりを生じた場合を示すもので、この場合も同様にガイド部材８はガイド用バネ１０，１１の付勢によりフィルム１４が傾いた分だけ傾く。よって、磁気ヘッド１２とフィルム１４の垂直度を保つことができる。
　第９図乃至第１１図は本発明の第２の実施例を示すもので、第１の実施例と同様の部分は同一符号を付してある。
　これらの図において、１０６は圧板、１０７は圧板バネ、１０８はガイド部材、１０９はガイドピン、１１０，１１１はガイド用バネ、１１３はビスである。また、１１５はガイド部材、１１６はガイドピン、１１７，１１８はガイド用バネ、１１９はビスである。
　前記圧板１０６は、前記ガイド用バネ１１０，１１１の一端が掛けられるバネ掛け部１０６ａ，１０６ｃ、前記ガイド用バネ１１７，１１８の一端が掛けられるバネ掛け部１０６ｄ，１０６ｂ、及び切り欠き部１０６ｅ〜１０６ｈ、及び圧板バネ１０７がカシメられるピン１０６ｉ，１０６ｊを有している。
　前記ガイドピン１０９は前記圧板１０６に一体的に形成成されており、このガイドピン１０９にガイド部材１０８の長穴１０８ｆが入り、ビス１１３で止められることになるが、円形のガイドピン１０９と長穴１０８ｆの構成により、前記ガイド部材１０８は圧板１０６に対して、上下方向の移動並びに回動が可能となっている。
　前記ガイドピン１１６は前記ガイドピン１０９と同様に前記圧板１０６に一体的に形成されており、このガイドピン１１６にガイド部材１１５の長穴１１５ｅが入り、ビス１１９で止められることになるが、円形のガイドピン１１６と長穴１１５ｅの構成により、前記ガイド部材１１５は圧板１０６に対して、上下方向の移動並びに回動が可能となっている。
　前記ガイド部材１０８は、第９図に示すようにフィルム幅方向の下部が乗ることになるガイド部１０８ａ，１０８ｂ、及び前記ガイド用バネ１１０，１１１の他端が掛けられるバネ掛け部１０８ｅ，１０８ｄを有しており、前記ガイド用バネ１１０，１１１により常に第９図上方向に常に付勢されている。
　前記ガイド部材１１５は、第９図に示すようにフィルム幅方向の上部をガイドするガイド部１１５ａ，１１５ｂ、及び前記ガイド用バネ１１７，１１８の他端が掛けられるバネ掛け部１１５ｄ，１１５ｃを有しており、前記ガイド用バネ１１０，１１１により常に第９図下方向に付勢されている。
　上記構成において、第１０図に示すようにフィルム１４が左上りにうねりを生じた場合、ガイド部材１０８はガイド用バネ１１０，１１１の付勢により該フィルム１４が傾いた分だけ傾く。また、ガイド部材１１５はガイド用バネ１１７，１１８の付勢により該フィルム１４が傾いた分だけ同様に傾く。つまり、前記ガイド部材１０８と１１５はフィルム１４を挟み込んだまま該フィルム１４のうねりに追従した動きをするため、第１の実施例と同様に、磁気ヘッド１２とフィルム１４の垂直度を保つことができる。
　第１２図乃至第１３図は本発明の第３の実施例を示すものであり、第１の実施例と同様の部分は同一符号を付してある。
　これらの図において、２０６は圧板、２０８はガイド部材、２０９はガイドピン、２２０，２２２はガイド用バネである。また、２１５，２１６はガイド部材、２１７，２１８は前記ガイド部材を回動自在に保持する軸、２１９，２２１はガイド用バネである。なお、この実施例では圧板バネは図示していないが、前記第１，２の実施例で示したものと同様の構成にて取り付けられている。前記圧板２０６は、前記ガイド用バネ２２０，２２２の一端が掛けられるバネ掛け部２０６ａ，２０６ｂ、前記ガイド用バネ２１９，２２１の一端が掛けられるバネ掛け部２０６ｃ，２０６ｄ、及び切り欠き部２０６ｅ〜２０６ｈを有している。
　前記ガイドピン２０９は前記圧板２０６に一体的に形成されており、このガイドピン２０９にガイド部材２０８の長穴２０８ｆが入り、不図示のビスで止められることになるが、円形のガイドピン２０９と長穴２０８ｆの構成により、前記ガイド部材２０８は圧板２０６に対して、上下方向の移動並びに回動が可能となっている。
　前記ガイド部材２０８は、第１２図に示すようにフィルム幅方向の下部が乗ることになるガイド部２０８ａ，２０８ｂ、及び前記ガイド用バネ２２０，２２２の他端が掛けられるバネ掛け部２０８ｅ，２０８ｄを有しており、前記ガイド用バネ２２０，２２２により常に第１２図上方向に常に付勢されている。
　前記ガイド部材２１５，２１６は、第１２図に示すようにフィルム幅方向の上部をガイドするガイド部２１５ａ，２１６ａ、及び前記ガイド用バネ２１９，２２１の他端が掛けられるバネ掛け部２１５ｂ，２１６ｂをそれぞれ有しており、前記ガイド用バネ２１９，２２１により常に第１２図下方向に付勢されている。
　上記構成において、第１３図に示すようにフィルム１４が左上りにうねりを生じた場合、ガイド部材２０８はガイド用バネ２２０，２２２の付勢により該フィルム１４が傾いた分だけ傾く。また、ガイド部材２１５及び２１６はガイド用バネ２１９，２２１の付勢により軸２１７，２１８を中心にして該フィルム１４が傾きに追従した動きをする。よって、第１及び第２の実施例と同様に、磁気ヘッド１２とフィルム１４の垂直度を保つことができる。
　第１４図乃至第１５図は本発明の第４の実施例を示すものであり、第１の実施例と同様の部分は同一符号を付してある。
　これらの図において、３０６は圧板、３０８はガイド部材、３０９はカメラ本体１側に設けられたガイドピン、３２０，３２２はガイド用バネである。また、３１５，３１６はガイド部材、３１７，３１８は前記ガイド部材を回動自在に保持するカメラ本体１側に設けられた軸、３１９，３２１はガイド用バネである。なお、この実施例においても圧板バネは図示していないが、前記第１，２の実施例で示したものと同様の構成にて取り付けられている。
　前記圧板３０６は、前記ガイド用バネ３２０，３２２の一端が掛けられるバネ掛け部３０６ａ，３０６ｂ、前記ガイド用バネ３１９，３２１の一端が掛けられるバネ掛け部３０６ｃ，３０６ｄ、及び切り欠き部３０６ｅ〜３０６ｈを有している。
　前記ガイドピン３０９は前述したようにカメラ本体１側に設けられており、このガイドピン３０９にガイド部材３０８の長穴３０８ｆが入り、不図示のビスで止められることになるが、円形のガイドピン３０９と長穴３０８ｆの構成により、前記ガイド部材３０８は圧板３０６に対して、上下方向の移動並びに回動が可能となっている。
　前記ガイド部材３０８は、第１４図に示すようにフィルム幅方向の下部が乗ることになるガイド部３０８ａ，３０８ｂ、及び前記ガイド用バネ３２０，３２２の他端が掛けられるバネ掛け部３０８ｅ，３０８ｄを有しており、前記ガイド用バネ３２０，３２２により常に第１４図上方向に常に付勢されている。
　前記ガイド部材３１５，３１６は、第１４図に示すようにフィルム幅方向の上部をガイドするガイド部３１５ａ，３１６ａ、及び前記ガイド用バネ３１９，３２１の他端が掛けられるバネ掛け部３１５ｂ，３１６ｂをそれぞれ有しており、前記ガイド用バネ３１９，３２１により常に第１４図下方向に付勢されている。
　上記構成において、第１５図に示すようにフィルム１４が左上りにうねりを生じた場合、ガイド部材３０８はガイド用バネ３２０，３２２の付勢により該フィルム１４が傾いた分だけ傾く。また、ガイド部材３１５及び３１６はガイド用バネ３１９，３２１の付勢により軸３１７，３１８を中心にして該フィルム１４が傾きに追従した動きをする。よって、第１及び第２の実施例と同様に、磁気ヘッド１２とフィルム１４の垂直度を保つことができる。
　また、この実施例のようにガイド部材３０８，３１５，３１６をカメラ本体１側に設けられたガイドピン３０９や軸３１７，３１８に回動自在に取り付けることにより、圧板３０６の形状を単純化でき、金属、プラスチック等にて成形可能となる。更に、成形性、加工性も良好なものとなる利点がある。
　上記各実施例によれば、磁気ヘッドを保持し、フィルム幅方向の下端部の位置規制をするガイド部材と、フィルム幅方向の上端部の位置規制をするガイド部材とを備え、少なくとも前者のガイド部材を圧板とは別体に、且つフィルム走行方向に垂直に、フィルム面と平行な面上で回動自在に構成しているため、以下のような効果がある。
　１）磁気ヘッドのフィルムに対する平面的な相対位置を所定の状態に保つことができ、且つフィルムの走行方向に対する垂直度を保ち続けることができる。
　２）フィルムのうねりに追従するガイド部材を圧板とは別体に構成しているため、フィルムのうねりに対しての追従性が向上すると共に、圧板をシンプルな形状にすることができ、加工がし易くなり、且つ圧板自身の精度が上がる。
　よって、フィルムの磁気記憶部と磁気ヘッドの間に位置ずれを生じることがなく、フィルムにうねりが発生しても、常に正確な情報の書き込み及び読み出しを行うことができ、極めて実用性の高いものとなる。
（発明と実施例の対応）
　本実施例において、磁気ヘッド１２が本発明の磁気ヘッドに、圧板６が本発明のフィルム位置規制手段に、ガイド部材８，１０８，２０８，３０８が本発明の保持手段に、それぞれ相当する。
（発明の効果）
　以上説明したように、本発明によれば、フィルムのうねりが発生したとしても、常に正確な磁気情報の書き込み或は読み出しを行うことができるカメラ及びフィルム追従装置を提供できるものである。
【図面の簡単な説明】
　第１図は本発明の第１の実施例を示すカメラ裏面図、第２図は同じく圧板、圧板バネ、ガイド部材の構成を示す斜視図、第３図及び第４図は同じく主要部分の構成を明示するための横断面図、第５図は同じく主要部分の構成を明示するための縦断面図、第６図は同じくフィルムにうねりを生じていない場合の各部材の位置関係を示すカメラ裏面図、第７図及び第８図はフィルムにうねりを生じた場合の各部材の位置関係を示すカメラ裏面図、第９図は本発明の第２の実施例を示すカメラ裏面図、第１０図は同じくフィルムにうねりを生じた場合の各部材の位置関係を示すカメラ裏面図、第１１図は同じく主要部分の構成を明示するための縦断面図、第１２図は本発明の第３の実施例を示すカメラ裏面図、第１３図は同じくフィルムにうねりを生じた場合の各部材の位置関係を示すカメラ裏面図、第１４図は本発明の第４の実施例を示すカメラ裏面図、第１５図は同じくフィルムにうねりを生じた場合の各部材の位置関係を示すカメラ裏面図である。
　１……カメラ本体、６……圧板、７……圧板バネ、８……ガイド部材、９……ガイドピン、１０，１１……ガイド用バネ、１２……磁気ヘッド、１４……磁気記憶部付フィルム、１０６……圧板、１０７……圧板バネ、１０８，１１５……ガイド部材、１０９，１１６……ガイドピン、１１０，１１１，１１７，１１８……ガイド用バネ、２０６……圧板、２０８，２１５，２１６……ガイド部材、２０９……ガイドピン、２１７，２１８……軸、２１９〜２２２……ガイド用バネ、３０６……圧板、３０８，３１５，３１６……ガイド部材、３０９……ガイドピン、３１７，３１８……軸、３１９〜３２２……ガイド用バネ